(57)【要約】【課題】ペットの性格等を、例えば購入前や購入後に直感的に知り得ることができ、性格の合うペットの購入や、購入後のペットに対する対応を適切に行うことが期待できるペットの性格情報出力システム及び方法を提供する。【解決手段】性格情報出力システム１０は、少なくとも１つのペットの種類に応じた少なくとも１つの性格を示す指標８０が格納されたデータベース１２と、複数のペットの種類のうち、出力対象の少なくとも１つのペットの種類を取得する出力対象取得部３０と、少なくとも１つのバー１００を出力するバー出力処理部５０と、データベース１２から指標８０を読み出す指標読出し部３４と、読み出した指標８０に対応した範囲を、バー１００若しくはバー１００に隣接して表示する範囲出力処理部５２と、を有する。【選択図】図１
2020190859.tif 000002
【特許請求の範囲】
【請求項１】
少なくとも１つのペットの種類に応じた少なくとも１つの性格を示す指標が格納されたデータベースと、
複数のペットの種類のうち、出力対象の少なくとも１つのペットの種類を取得する出力対象取得部と、
少なくとも１つのバーを出力するバー出力処理部と、
前記データベースから、出力対象の前記ペットの種類に対応する指標を読み出す指標読出し部と、
読み出した前記指標に対応した範囲を、前記バー若しくは前記バーに隣接して表示する範囲出力処理部と、を有する、ペットの性格情報出力システム。
【請求項２】
請求項１記載のペットの性格情報出力システムにおいて、
前記データベースは、前記ペットとは別の種類のペットの少なくとも１つの性格を示す参考指標が格納され、
前記データベースから前記参考指標を読み出す参考指標読出し部と、
読み出した前記参考指標に対応した範囲を、前記バー若しくは前記バーに隣接して出力する参考範囲出力処理部と、を有する、ペットの性格情報出力システム。
【請求項３】
請求項２記載のペットの性格情報出力システムにおいて、
前記指標は愛玩犬に関する指標であり、
前記参考指標は使役犬に関する指標である、ペットの性格情報出力システム。
【請求項４】
請求項１〜３のいずれか１項に記載のペットの性格情報出力システムにおいて、
前記ペットの種類のうち、特定のペットに応じた少なくとも１つの性格についての指標をポイント画像として出力するポイント出力処理部を有する、ペットの性格情報出力システム。
【請求項５】
複数のペットの種類のうち、出力対象の少なくとも１つのペットの種類を取得するステップと、
少なくとも１つのペットの種類に応じた少なくとも１つの性格を示す指標が格納されたデータベースから、出力対象の前記ペットの種類に対応する指標を読み出すステップと、
少なくとも１つのバーを出力するステップと、
読み出した前記指標に対応した範囲を、前記バー若しくは前記バーに隣接して表示するステップと、を有する、ペットの性格情報出力方法。
【発明の詳細な説明】
【技術分野】
【０００１】
本発明は、犬や猫等のペットの性格情報を出力（表示、印字等）するペットの性格情報出力システム及びペットの性格情報出力方法に関する。
【背景技術】
【０００２】
特許文献１記載の吠えるイヌ、吠えないイヌの選別方法は、イヌの吠え行動の遺伝学的背景を明らかにし、それに基づくイヌの選別方法を提供することを課題としている。
【０００３】
当該課題を解決するため、特許文献１記載の選別方法は、被検査イヌの、セロトニン受容体１Ｂ（５−ＨＴＲ１Ｂ）遺伝子の９５５番目の塩基および／またはモノアミン酸化酵素Ｂ（ＭＡＯＢ）遺伝子の１９９番目の塩基を分析し、分析した結果があらかじめ選択した、下記からなる群より選択されるいずれかの型であるか否かにより、イヌを選別する。
【０００４】
（１）  ５−ＨＴＲ１Ｂ遺伝子の９５５番目の塩基が、Ｔ／Ｔ型であること；
（２）  ５−ＨＴＲ１Ｂ遺伝子の９５５番目の塩基が、Ｔ／Ｔ型またはＴ／Ｃ型であること；
（３）  ５−ＨＴＲ１Ｂ遺伝子の９５５番目の塩基が、Ｃ／Ｃ型またはＴ／Ｃ型であること；
（４）  ＭＡＯＢ遺伝子の１９９番目の塩基が、Ｃ／Ｃ型またはＴ／Ｃ型であること；
（５）  ＭＡＯＢ遺伝子の１９９番目の塩基が、Ｔ／Ｔ型またはＴ／Ｃ型であること。
【先行技術文献】
【特許文献】
【０００５】
【特許文献１】特開２０１４−６４４７８号公報
【発明の概要】
【発明が解決しようとする課題】
【０００６】
現在、ペットの家族化が進んでおり、ペット１頭（１匹）当たりの支出額は増加している。ペットを購入した後に、性格が合わない、攻撃的で困った等、外見から予想した性格とは異なった性格であることが判明し、ペット購入に関するトラブルの要因となる場合がある。
【０００７】
このようなことから、上述した特許文献１に係る選別方法等を使って、ペットの性格を検証することも可能ではあるが、特許文献１に記載された内容に基づいて、一般の人がペットの性格を判断することは困難であり、直感的に把握することができない。
【０００８】
本発明は、このような課題を考慮してなされたものであり、ペットの性格等を、例えば購入前や購入後に直感的に知り得ることができ、性格の合うペットの購入や、購入後のペットに対する対応を適切に行うことが期待できるペットの性格情報出力システム及びペットの性格情報出力方法を提供することを目的とする。
【課題を解決するための手段】
【０００９】
本発明の第１態様は、少なくとも１つのペットの種類に応じた少なくとも１つの性格を示す指標が格納されたデータベースと、複数のペットの種類のうち、出力対象の少なくとも１つのペットの種類を取得する出力対象取得部と、少なくとも１つのバーを出力するバー出力処理部と、前記データベースから、出力対象の前記ペットの種類に対応する指標を読み出す指標読出し部と、読み出した前記指標に対応した範囲を、前記バー若しくは前記バーに隣接して表示する範囲出力処理部と、を有する。
【００１０】
本発明の第２態様は、複数のペットの種類のうち、出力対象の少なくとも１つのペットの種類を取得するステップと、少なくとも１つのペットの種類に応じた少なくとも１つの性格を示す指標が格納されたデータベースから、出力対象の前記ペットの種類に対応する指標を読み出すステップと、少なくとも１つのバーを出力するステップと、読み出した前記指標に対応した範囲を、前記バー若しくは前記バーに隣接して表示するステップと、を有する。
【発明の効果】
【００１１】
本発明の第１態様及び第２態様によれば、ペットの性格等を、例えば購入前や購入後に直感的に知り得ることができ、性格の合うペットの購入や、購入後のペットに対する対応を適切に行うことが期待できる。
【図面の簡単な説明】
【００１２】
【図１】本実施形態に係るペットの性格情報出力システムの構成を示すブロック図である。
【図２】愛玩犬１についての性格情報出力例を示す説明図である。
【図３】愛玩犬２についての性格情報出力例を示す説明図である。
【図４】本実施形態に係るペットの性格情報出力方法を示すフローチャートである。
【発明を実施するための形態】
【００１３】
以下、本発明に係るペットの性格情報出力システム及びペットの性格情報出力方法の実施形態例を図１〜図４を参照しながら説明する。
【００１４】
本実施形態に係るペットの性格情報出力システム１０は、図１に示すように、データベース１２と、コンピュータ１４とを有する。
【００１５】
図１に示すように、コンピュータ１４は、演算部２０と、記憶部２２と、入出力部２４と、バス２６とを有する電子制御ユニットである。演算部２０は、ＣＰＵ等を備えるプロセッサを有し、プロセッサが記憶部２２に記憶されるプログラムを実行することにより、各種機能を実現する。記憶部２２は、ＲＯＭとＲＡＭ等の記憶装置を含む。
【００１６】
本実施形態において、演算部２０は、出力対象取得部３０と、情報出力部３２と、指標読出し部３４と、参考指標読出し部３６とを有する。
【００１７】
出力対象取得部３０は、複数のペットの種類のうち、キーボード４０や各種携帯情報端末４２等から入力された、出力対象の少なくとも１つのペットの種類（データ）を取得する。
【００１８】
情報出力部３２は、バー出力処理部５０と、範囲出力処理部５２と、参考範囲出力処理部５４と、ポイント出力処理部５６と、アプリケーション５８とを有する。アプリケーション５８は、例えばディスプレイ６０、プリンタ６２のほか、各種携帯情報端末４２に少なくとも画像データ等を出力する。アプリケーション５８から出力された画像データ等は、送受信装置７０及びネットワーク７２を介して、アクセス要求のあった携帯情報端末４２等に向けて出力される。
【００１９】
データベース１２は、ペットの種類に応じた少なくとも１つの性格を示す指標８０が格納されている。性格としては、例えば性格１、性格２、性格３・・・性格ｎ等が挙げられ、具体的には、例えばaggression（攻撃性）、activity（活動的）、social impulsivity（社会に対する衝動性）、impulsivity（衝動性）、inattention（不注意が多い）、gazing toward human（人を凝視する癖）等がある。
【００２０】
指標８０としては、対応する性格が強い傾向にあるか弱い傾向にあるかを例えば数値として示す等が挙げられる。この場合、例えば規定の最大値に近いほど、その性格が強く、規定の最小値に近いほど、その性格が弱いことを示す。
【００２１】
さらに、データベース１２には、参考指標８２が格納されている。参考指標８２としては、上述したペットとは他の種類のペットの少なくとも１つの性格に対する指標を示す。この参考指標８２においても、上述した指標８０と同様に、対応する性格が強い傾向にあるか弱い傾向にあるかを例えば数値として示す等が挙げられる。参考指標８２は、必ずしも性格の全ての種類に応じてデータベース１２に格納する必要はなく、ある特定の性格に対応した参考指標８２を格納してもよい。
【００２２】
これらの指標８０、参考指標８２は、例えばドーパミン受容体Ｄ４、グルタミン酸トランスポーター、カテコール−Ｏ−メチルトランスフェラーゼ等の遺伝子検査により、取得することができる。
【００２３】
指標読出し部３４は、データベース１２からそれぞれ性格に対応する指標８０を読み出す。参考指標読出し部３６は、データベース１２から例えば特定の性格に対応する参考指標８２を読み出す。
【００２４】
一方、情報出力部３２のバー出力処理部５０は、少なくとも１つのバー１００（図２参照）を出力する。例えばバー出力処理部５０は、図２に示すように、性格の種類に応じて少なくとも１つのバー１００を出力する。上述したように、ディスプレイ６０に対しては少なくとも１つのバー１００を表示し、プリンタ６２に対しては少なくとも１つのバー１００を印字する。図２の例では、各性格（性格１、性格２、・・・性格６）に応じて、それぞれ１つのバー１００を出力した例、すなわち、６本のバー１００を出力した例を示す。
【００２５】
範囲出力処理部５２は、指標読出し部３４によって読み出された指標８０に対応した範囲、例えばバー１００のうち、指標８０の位置を中心に強い方と弱い方に向かってそれぞれ同じ長さだけ広げた範囲を示す画像を、バー１００若しくはバー１００に隣接して出力する。図２では、各バー１００の下部に範囲を示す２つの縦棒１０２ａ及び１０２ｂと、２つの縦棒１０２ａ及び１０２ｂの間に、説明文を出力した例を示す。説明文としては、図示するように、例えば対象としている１つのペット（例えば愛玩犬１）に多い範囲等が挙げられる。愛玩犬１としては、例えばトイ・プードルが挙げられる。
【００２６】
参考範囲出力処理部５４は、参考指標読出し部３６によって読み出された参考指標８２に対応した範囲を、バー１００若しくはバー１００に隣接して出力する。図２では、例えば上から４番目のバー１００の下部に範囲を示す２つの縦棒１０４ａ及び１０４ｂと、２つの縦棒１０４ａ及び１０４ｂの間に、説明文を出力した例を示す。説明文としては、図示するように、例えば対象としている１つのペット（例えば愛玩犬１）とは異なるペット（例えば使役犬）に多い範囲等が挙げられる。
【００２７】
ポイント出力処理部５６は、ペットの種類のうち、特定のペットに応じた少なくとも１つの性格についての指標８０をポイント画像１０６として出力する。図２では、性格１〜性格６について、特定のペットに応じた指標８０をそれぞれ六角形で示した例を示す。
【００２８】
上述の例では、愛玩犬１の一種である例えばトイ・プードルについて、６種類の性格１〜性格６に関する表示例を示したが、これに限らず、愛玩犬の他の種類や使役犬等についても同様の表示を実施することができる。一例として、図３に、愛玩犬の他の種類であるラブラドール（愛玩犬２と記す）について、６種類の性格１〜性格６に関する出力例を示す。
【００２９】
次に、本実施形態に係るペットの性格情報出力システム１０の処理動作について図４のフローチャートを参照しながら説明する。
【００３０】
先ず、ステップＳ１において、出力対象取得部３０は、複数のペットの種類のうち、キーボード４０や各種携帯情報端末４２等から入力された、出力対象の少なくとも１つのペットの種類を取得する。
【００３１】
ステップＳ２において、指標読出し部３４は、データベース１２から出力対象のペットの種類に対応する例えば６種類の指標８０を読み出す。
【００３２】
ステップＳ３において、参考指標読出し部３６は、データベース１２から例えば特定の性格に対応する参考指標８２を読み出す。
【００３３】
ステップＳ４において、バー出力処理部５０は、性格の種類に応じて少なくとも１つ（図２及び図３の例では６つ）のバー１００を出力する。
【００３４】
ステップＳ５において、範囲出力処理部５２は、指標読出し部３４によって読み出された指標８０に対応した範囲、例えばバー１００のうち、指標８０の位置を中心に強い方と弱い方に向かってそれぞれ同じ長さだけ広げた範囲を示す画像（例えば縦棒１０２ａ及び１０２ｂ）を、バー１００若しくはバー１００に隣接して出力する。
【００３５】
ステップＳ６において、参考範囲出力処理部５４は、参考指標読出し部３６によって読み出された参考指標８２に対応した範囲を示す画像（例えば縦棒１０４ａ及び１０４ｂ）を、バー１００若しくはバー１００に隣接して出力する。
【００３６】
ステップＳ７において、ポイント出力処理部５６は、ペットの種類のうち、特定のペットに応じた少なくとも１つの性格についての指標８０をポイント画像１０６として出力する。
【００３７】
［実施形態から得られる発明］
上記実施形態から把握しうる発明について、以下に記載する。
【００３８】
［１］  本実施形態に係るペットの性格情報出力システム１０は、少なくとも１つのペットの種類に応じた少なくとも１つの性格を示す指標８０が格納されたデータベース１２と、複数のペットの種類のうち、出力対象の少なくとも１つのペットの種類を取得する出力対象取得部３０と、少なくとも１つのバー１００を出力するバー出力処理部５０と、データベース１２から、出力対象のペットの種類に対応する指標８０を読み出す指標読出し部３４と、読み出した指標８０に対応した範囲を、バー１００若しくはバー１００に隣接して表示する範囲出力処理部５２と、を有する。
【００３９】
これにより、指標８０に対応した範囲によって、選んだペットあるいは選ぼうとしているペットの性格等をある程度把握することができる。すなわち、ペットの性格等を、例えば購入前や購入後に直感的に知り得ることができ、性格の合うペットの購入や、購入後のペットに対する対応を適切に行うことが期待できる。
【００４０】
［２］  本実施形態において、データベース１２は、ペットとは別の種類のペットの少なくとも１つの性格を示す参考指標８２が格納され、データベース１２から参考指標８２を読み出す参考指標読出し部３６と、読み出した参考指標８２に対応した範囲を、バー１００若しくはバー１００に隣接して出力する参考範囲出力処理部５４と、を有する。
【００４１】
これにより、選んだペットあるいは選ぼうとしているペットに加えて、他のペットの性格等も事前に知ることができ、その比較対象によって、好みに応じたペットの選定をより確実に行うことができる。
【００４２】
［３］  本実施形態において、指標８０は愛玩犬に関する指標であり、参考指標８２は使役犬に関する指標である。愛玩犬と使役犬の性格上の違いをバー表示と範囲によって明確に知ることができ、どちらを購入すべきかをより精度よく検討することが可能となる。
【００４３】
［４］  本実施形態において、ペットの種類のうち、特定のペットに応じた少なくとも１つの性格についての指標８０をポイント画像１０６として出力するポイント出力処理部５６を有する。
【００４４】
愛玩犬や使役犬といった大雑把な括りではなく、特定のペットを購入したい場合に、特定のペットの性格を愛玩犬や使役犬と比較することができ、しかも、特定のペットの性格がポイント画像１０６として出力されるため、直感的に特定のペットの性格を知ることができる。
【００４５】
［５］  本実施形態に係るペットの性格情報出力方法は、複数のペットの種類のうち、出力対象の少なくとも１つのペットの種類を取得するステップと、少なくとも１つのペットの種類に応じた少なくとも１つの性格を示す指標８０が格納されたデータベース１２から、出力対象のペットの種類に対応する指標８０を読み出すステップと、少なくとも１つのバー１００を出力するステップと、読み出した前記指標８０に対応した範囲を、バー１００若しくはバー１００に隣接して表示するステップと、を有する。
【００４６】
これにより、指標８０に対応した範囲によって、選んだペットあるいは選ぼうとしているペットの性格等をある程度把握することができる。すなわち、ペットの性格等を、例えば購入前や購入後に直感的に知り得ることができ、性格の合うペットの購入や、購入後のペットに対する対応を適切に行うことが期待できる。
【００４７】
なお、この発明は、上述した実施形態に限定されるものではなく、この発明の主旨を逸脱しない範囲で自由に変更できることは勿論である。あるいは、技術的に矛盾が生じない範囲で各々の構成を任意に組み合わせてもよい。
【符号の説明】
【００４８】
１０…ペットの性格情報出力システム        １２…データベース
１４…コンピュータ                        ２０…演算部
２２…記憶部                              ２４…入出力部
２６…バス                                ３０…出力対象取得部
３２…情報出力部                          ３４…指標読出し部
３６…参考指標読出し部                    ４０…キーボード
４２…携帯情報端末                        ５０…バー出力処理部
５２…範囲出力処理部                      ５４…参考範囲出力処理部
５６…ポイント出力処理部                  ５８…アプリケーション
６０…ディスプレイ                        ６２…プリンタ
７０…送受信装置                          ７２…ネットワーク
８０…指標                                ８２…参考指標
１００…バー
１０２ａ、１０２ｂ、１０４ａ、１０４ｂ…縦棒
１０６…ポイント画像
【図１】
2020190859.tif 000003
【図２】
2020190859.tif 000004
【図３】
2020190859.tif 000005
【図４】
2020190859.tif 000006